(57)【要約】      （修正有）【課題】片手に装着することができ、装着した状態で手を握るようにして容易に絞ることができるペット用手袋型タオルを提供する。【解決手段】ペット用手袋型タオル１を、防水性の手袋１０と、手袋の掌側に取付けられたポリビニルアルコールを主素材とする吸水性に優れるとともに水切れのよいタオル部材１１を具備する構成とする。また、手袋は、親指を挿入する親指部、人差し指を挿入する人差し指部、中指を挿入する中指部、薬指を挿入する薬指部、小指を挿入する小指部を有する構成とする。【選択図】図１
0003197250.tif 000002
【実用新案登録請求の範囲】
【請求項１】
防水性の手袋と、
該手袋の掌側に取付けられたポリビニルアルコールを主素材とするタオル部材と
を具備することを特徴とするペット用手袋型タオル。
【請求項２】
ポリビニルアルコールを主素材とするタオル部材により形成された手袋である
ことを特徴とするペット用手袋型タオル。
【請求項３】
掌側がポリビニルアルコールを主素材とするタオル部材から形成され、
甲側が前記タオル部材と異なる素材から形成された手袋である
ことを特徴とするペット用手袋型タオル。
【請求項４】
前記手袋が
親指を挿入する親指部、
人差し指を挿入する人差し指部、
中指を挿入する中指部、
薬指を挿入する薬指部、
小指を挿入する小指部
を有することを特徴とする請求項１乃至請求項３の何れか一つに記載のペット用手袋型タオル。
【請求項５】
前記手袋が
親指を挿入する親指部、
人差し指、中指、薬指、小指を挿入する四指部
を有することを特徴とする請求項１乃至請求項３の何れか一つに記載のペット用手袋型タオル。
【請求項６】
前記手袋が
手の全体を挿入する五指部
を有することを特徴とする請求項１乃至請求項３の何れか一つに記載のペット用手袋型タオル。
【考案の詳細な説明】
【技術分野】
【０００１】
本考案は、犬や猫等のペットの躰を拭くためのペット用手袋型タオルに関するものである。
【背景技術】
【０００２】
一般に、躰を洗った犬や猫等のペットの濡れた毛を乾かす作業は、一方の手に把持したタオルでペットの体を拭きながら、他方の手に把持したヘアドライヤから温風を送風しペットの毛に当てて行う。つまり、両手が塞がった状態で作業を行っている。ペットがグレートピレネー、ゴールデンレトリバー、シベリアンハスキー等の毛の長い大型犬である場合は毛に付着した水の量が多いため、作業中にタオルが濡れてしまい十分に拭き取れないことがある。このような場合はタオルを絞って再度拭けばよいが、タオルを絞るためには両手で絞らなければならない。つまり、従来は毛を乾かす作業を中断しなければタオルを絞ることができなかった。
【０００３】
そこで、特許文献１，２に示すような服、或いはマント状のタオルが提案されている。これらのタオルは、ペットに着せた状態で放置してペットの体を拭く作業を簡略化することを意図している。
【０００４】
しかしながら、特許文献１，２のタオルをペットに着せたり、脱がせたりする作業自体が煩雑なものである。しかも、ペットの毛に付着した水分量が多くタオルが濡れてしまった場合は、上記と同様に両手でタオルを絞らなければいけない。
【先行技術文献】
【特許文献】
【０００５】
【特許文献１】実用新案登録第３０１８６６５号公報
【特許文献２】実用新案登録第３１１６１１０号公報
【考案の概要】
【考案が解決しようとする課題】
【０００６】
本考案は、上記の実情に鑑み、片手に装着することができ、装着した状態で容易に絞ることができるペット用手袋型タオルの提供を、課題とするものである。
【課題を解決するための手段】
【０００７】
上記の課題を解決するため、請求項１の本考案にかかるタオルは、
「防水性の手袋と、
該手袋の掌に取付けられたポリビニルアルコールを主素材とするタオル部材と
を具備する」ものである。
【０００８】
「防水性の手袋」は、例えば塩化ビニル、ポリエチレン等の樹脂製の手袋、または、天然ゴム、ニトリルゴム等のゴム製の手袋がある。
【０００９】
「ポリビニルアルコール（以下、ＰＶＡと称する）」は、親水性の高分子であり、高い吸水性を有する。
【００１０】
ここでは、「主素材」はタオル部材を構成する素材中で５０％以上の重量、或いは体積を占める素材を指している。また、ＰＶＡを主素材とするタオル部材は、ＰＶＡにより形成されたスポンジの内部にポリエステル繊維の芯材を通したもの、ＰＶＡ繊維（ビニロン）で織られた布、或いは、ＰＶＡ繊維の不織布がある。
【００１１】
本構成のペット用手袋型タオルは、防水性の手袋の掌にＰＶＡを主素材とするタオル部材が取付けられたものである。つまり、本構成のペット用手袋型タオルは、手袋を手に装着した際に掌側がタオル部材になるように構成されている。しかも、ＰＶＡを主素材とするタオル部材は、吸水性に優れると共に、絞った際の水切れが良い。これにより、手で撫でるようにしてペットの毛を拭くことができると共に、手を握るようにして掌側に取付けられたタオル部材を絞ることができる。更に、本構成のペット用手袋型タオルの手袋は防水性であるため、使用中に手が濡れない。
【００１２】
請求項２の考案にかかるペット用手袋型タオルは、
「ポリビニルアルコールを主素材とするタオル部材により形成された手袋である」
ものである。
【００１３】
本構成のペット用手袋型タオルは、タオル部材のみで形成されている。つまり、手袋の掌側だけでなく甲側もタオル部材になっている。これにより、左右どちらの手に装着しても、掌側がＰＶＡを主素材とするタオル部材になる。従って、本構成のペット用手袋型タオルを左手、右手の何れの手に装着した場合であっても請求項１のペット用手袋型タオルと同様に、手に装着した状態で手を握るようにしてタオル部材を絞ることができる。
【００１４】
請求項３の考案にかかるペット用手袋型タオルは、
「掌側がポリビニルアルコールを主素材とするタオル部材から形成され、
甲側が前記タオル部材と異なる素材から形成された手袋である」
ものである。
【００１５】
本構成のペット用手袋型タオルも同様に、掌側がＰＶＡを主素材とするタオル部材により形成されている。これにより、請求項１及び請求項２のペット用手袋型タオルと同様に、本構成のペット用手袋型タオルは手に装着した状態で手を握るようにしてタオル部材を絞ることができる。更に、本構成のペット用手袋型タオルは、甲側をタオル部材とは異なる素材で形成することができる。例えば、甲側を防水性の素材でメッシュ状に形成することにより、使用後に乾きやすいペット用手袋型タオルにすることができる。
【００１６】
請求項４の考案にかかるペット用手袋型タオルは、上記構成において、
「前記手袋が親指を挿入する親指部、人差し指を挿入する人差し指部、中指を挿入する中指部、薬指を挿入する薬指部、小指を挿入する小指部を有する」ものである。
【００１７】
本構成のペット用手袋型タオルは、手の形状になっている。従って、本構成のタオル型手袋を装着した状態でヘアドライヤ等の道具を把持する、蛇口を開閉する等、指先を使う動作がしやすい。
【００１８】
請求項５の考案にかかるペット用手袋型タオルは、上記構成において、
「前記手袋が親指を挿入する親指部、人差し指、中指、薬指、小指を挿入する四指部を有する」ものである。
【００１９】
本構成のペット用手袋型タオルは、ミトンと称される形状の手袋になっている。本構成のペット用手袋型タオルでは人差し指から小指を四指部に挿入するため装着しやすい。また、親指部と四指部を有することにより、ヘアドライヤ等の道具を把持する動作がしやすい。
【００２０】
請求項６の考案にかかるペット用手袋型タオルは、上記構成において、
「前記手袋が手の全体を挿入する五指部を有する」ものである。
【００２１】
ここで、「手」は、手首より指先側を指している。つまり、「五指部」は「手」の全体を挿入できる大きさになっている。
【００２２】
本構成のペット用手袋型タオルは、手の全体を挿入する袋状になっており装着しやすい。更に、形状が簡素であるため容易に製造することができる。
【００２３】
上記請求項４乃至６の考案にかかるペット用手袋型タオルも、手に装着した状態で手を握るようにして掌側のタオル部材を絞ることができる。
【考案の効果】
【００２４】
以上のように、本考案の効果として、片手に装着することができ、装着した状態で容易に絞ることができるペット用手袋型タオルを、提供することができる。
【図面の簡単な説明】
【００２５】
【図１】本考案の第一実施形態であるペット用手袋型タオルの正面図である。
【図２】図１のペット用手袋型タオルの背面図である。
【図３】本考案の第二実施形態であるペット用手袋型タオルの正面図である。
【図４】本考案の第三実施形態であるペット用手袋型タオルの構成と使い方を示す説明図である。
【考案を実施するための形態】
【００２６】
以下、本考案の実施の形態について図１乃至図４を用いて説明する。
【実施例１】
【００２７】
本考案の第一実施形態であるペット用手袋型タオル１は、図１及び図２に示すように、防水性であるブチルゴム製の手袋１０の掌側にポリビニルアルコール（以下、ＰＶＡと称する）を主素材とするタオル部材が取付けられている。なお、図１及び図２では、左手用のペット用手袋型タオル１を示している。
【００２８】
より詳細には、ペット用手袋型タオル１の手袋１０は図２に示すように、親指を挿入する親指部１２、人差し指を挿入する人差し指部１３、中指を挿入する中指部１４、薬指を挿入する薬指部１５、小指を挿入する小指部１６を有した手の形状になっている。また、手袋１０は、手首から肘（上腕）の中間までを覆う手首部１７を有している。
【００２９】
タオル部材１１は、芯材のポリエステル繊維をＰＶＡにより形成されたスポンジで表裏面から挟んだ三層構造になっており、その厚さは約１ｍｍである。タオル部材１１は、親指部１２の掌側の形状と略同一の親指タオル部材１１ａと、人差し指部１３の掌側の形状と略同一の人差し指タオル部材１１ｂ、中指部１４の掌側の形状と略同一の中指タオル部材１１ｃ、薬指部１５の掌側の形状と略同一の薬指タオル部材１１ｄ、小指部１６の掌側の形状と略同一の小指タオル部材１１ｅ、及び手袋１０の掌の形状と略同一の掌タオル部材１１ｆが一体に形成された四指タオル部材１１ｇとから構成されている。親指タオル部材１１ａと四指タオル部材１１ｇは、接着剤により手袋１０の掌側に固着されている。
【００３０】
第一実施形態のペット用手袋型タオル１は、開口部１８から左手を挿入して装着する。上記の構成により、ペット用手袋型タオル１を装着すると、掌側にタオル部材１１が位置する。また、防水性の手袋１０により左手の指先から上腕の中間までが覆われた状態になる。なお、タオル部材１１は、乾燥した状態では柔軟性に乏しく、やや硬い感触を与えるため、装着しにくく感じる場合がある。この様な場合は、予めタオル部材１１を湿らせておくと柔軟性が増すため容易にペット用手袋型タオル１を装着することができる。
【００３１】
ペットの躰を洗った後、ペット用手袋型タオル１を装着した左手でペットの躰を拭く。この際、タオル部材１１も手袋１０の形状に合わせて手の形状になっているため、五指を利用してペットの毛を掻きあげるようにして拭きやすく、ペットの体表に近い部分の毛も容易に拭くことができる。そして、タオル部材１１が十分に水を吸水したら左手を握るようにしてタオル部材１１を絞る。ＰＶＡを主素材として形成されたタオル部材１１は水切れが良いため容易に絞ることができる。タオル部材１１の水を絞ったら、再度ペットの躰を拭くことができ、これを繰り返すことにより、ペットの毛を乾かすことができる。つまり、従来と異なり、タオルを両手で絞るために作業を中断する必要が無い。しかも、左手は上腕の中間まで手袋１０に覆われているため、作業中に左手が濡れにくい。また、片手で拭く作業ができるため、右手でヘアドライヤを把持したり、または、ペットを抑えたり、或いは、右手用のペット用手袋型タオル１を装着して両手でペットを拭いたりすることができる。
【００３２】
従って、第一実施形態であるペット用手袋型タオル１によれば、タオル部材１１が掌側に取付けられていることにより、手を握るようにしてタオル部材１１を絞ることができる。この際、タオル部材１１はＰＶＡを主素材として形成されているので、水切れがよく絞りやすい。また、ペット用手袋型タオル１では、厚さ約１ｍｍ程度の薄いタオル部材１１を使用しているため、絞る際に大きな力を要しない。
【００３３】
更に、ペット用手袋型タオル１では、手袋１０とタオル部材１１が手形に形成されている。これにより、指を自由に動かすことができ、ペットの毛を乾かす際に毛を掻き上げる動作や、ヘアドライヤ等の道具を持つ動作がしやすい。また、親指タオル部材１１ａは四指タオル部材１１ｇと別体になっている。このため、親指を動かした際にタオル部材１１が突張らず親指を動かしやすい。
【００３４】
加えて、ペット用手袋型タオル１の手袋１０は防水性であり、手首部１７により上腕の中間までを覆うことができるため、ペットの毛を乾かす際にペット用手袋型タオル１を装着した手が濡れにくい。
【００３５】
なお、ペット用手袋型タオル１の手袋１０は、天然ゴム製、或いは塩化ビニル、ポリエチレン等の樹脂製の手袋を使用することができる。また、形状も手形に限らず、親指を挿入する親指部と人差し指から小指までの四指を挿入する四指部を有するミトン型の手袋や、手全体を挿入できる袋状であってもよい。
【００３６】
更に、タオル部材１１も手形に限らず、手全体を覆う大きさの楕円形状、長方形状等であってもよい。また、タオル部材１１の厚さは、厚くすることにより吸水する水分量を増やすことができ、薄くすることによりタオル部材１１を絞るのに必要な力を小さくすることができる。例えば、タオル部材１１の厚さは１ｍｍ〜５ｍｍにすることができる。
【実施例２】
【００３７】
本考案の第二実施形態であるペット用手袋型タオル２は、図３に示すように、ＰＶＡを主素材とするタオル部材２１により形成されている。つまり、ペット用手袋型タオル２では、手袋の掌側と甲側とが共にタオル部材２１により形成されている。
【００３８】
より詳細に説明すると、第二実施形態のペット用手袋型タオル２は、親指を挿入する親指部２２と四指を挿入する四指部２３とを有するミトン型の手袋になっている。ペット用手袋型タオル２のタオル部材２１は、第一実施形態のペット用手袋型タオル１のタオル部材１１と同様に、芯材のポリエステル繊維をＰＶＡスポンジで表裏面から挟んだ三層構造になっており、その厚さは約１ｍｍである。
【００３９】
第二実施形態のペット用手袋型タオル２は、左右どちらの手に装着した場合であっても掌側がタオル部材２１になる。従って、使用者が左利き、右利きに依らず第二実施形態のペット用手袋型タオル２を使用することができる。
【００４０】
そして、第一実施形態のペット用手袋型タオル１と同様に、ペット用手袋型タオル２を装着した状態で手を握るようにして掌側のタオル部材２１を絞ることができる。
【００４１】
なお、第二実施形態のペット用手袋型タオル２は、親指を挿入する親指部、人差し指を挿入する人差し指部、中指を挿入する中指部、薬指を挿入する薬指部、小指を挿入する小指部を有する手の形状であってもよい。或いは、手全体を挿入できる袋状であってもよい。
【実施例３】
【００４２】
本考案の第三実施形態であるペット用手袋型タオル３は、図４に示すように、掌側がポリビニルアルコール（以下、ＰＶＡと称する）を主素材とするタオル部材３１から形成され、甲側がポリエステル素材のメッシュ３２から形成された手袋である。
【００４３】
より詳細には、第三実施形態のペット用手袋型タオル３のタオル部材３１は、第一実施形態及び第二実施形態のペット用手袋型タオル１，２のタオル部材１１，２１と同様に芯材のポリエステル繊維をＰＶＡスポンジで表裏面から挟んだ三層構造になっており、その厚さは約１ｍｍである。また、タオル部材３１は、略長方形になっている。メッシュ３２も同様に略長方形であり、開口部３３側を除いた周縁がタオル部材３１に縫合わされている。従って、タオル部材３１とメッシュ３２とにより、手全体を挿入することができる五指部３４が形成されている。
【００４４】
第三実施形態のペット用手袋型タオル３は、掌側がタオル部材３１となるように開口部３３から手を挿入して使用する。このように装着することにより、第一実施形態及び第二実施形態のペット用手袋型タオル１，２と同様に、手を握るようにしてタオル部材３１を絞ることができる。
【００４５】
また、甲側がメッシュ３２になっているため通気性が高く、使用後にペット用手袋型タオル３を容易に乾かすことができる。
【００４６】
なお、第三実施形態のペット用手袋型タオル３は、親指を挿入する親指部、人差し指を挿入する人差し指部、中指を挿入する中指部、薬指を挿入する薬指部、小指を挿入する小指部を有する手の形状であってもよい。或いは、親指を挿入する親指部と人差し指から小指までの四指を挿入する四指部を有するミトン型の手袋であってもよい。
【００４７】
また、第一実施形態乃至第三実施形態のペット用手袋型タオル１〜３は、一個のみを備えて片手に装着する場合を例示したが、両手に装着するために一対のペット用手袋型タオル１〜３を備えていてもよい。この場合において、第二実施形態及び第三実施形態のペット用手袋型タオル２，３は、左右どちらの手にも装着できるため同一形状のものを二個備えればよい。
【００４８】
更に、タオル部材１１，２１，及び３１は、部分的に厚さを変えてもよく、例えば、掌部分を厚くすることができる。この場合は、ペット用手袋型タオル１〜３を装着した際の指の動かしやすさを妨げずに、タオル部材１１，２１，及び３１の吸水量を増やすことができる。
【００４９】
以上、本考案について好適な実施形態を挙げて説明したが、本考案は上記の実施形態に限定されるものではなく、以下に示すように、本考案の要旨を逸脱しない範囲において、種々の改良及び設計の変更が可能である。
【００５０】
例えば、手袋の開口部に沿って、開口部よりも径が小さい環状のゴム紐が取付けられていてもよい。これにより、手袋を装着した際に、手袋が手から外れにくくすることができる。
【符号の説明】
【００５１】
１，２，３  ペット用手袋型タオル
１０  手袋
１１，２１，３１  タオル部材
１２，２２  親指部
１３  人差し指部
１４  中指部
１５  薬指部
１６  小指部
２３  四指部
３４  五指部
【図１】
0003197250.tif 000003
【図２】
0003197250.tif 000004
【図３】
0003197250.tif 000005
【図４】
0003197250.tif 000006